(57)【特許請求の範囲】
【請求項１】
ファン、及びこのファンにより吸引された空気の一部を排出する排気孔を複数有して前記ファンを覆ったファンカバーを備える送風部と、前記ファンを回転させるとともに、前記ファンカバー内と連通する電動機ケースを備え、かつこの電動機ケースが前記ファンにより吸引された空気を排出する排気口を有した電動機部とを備える電動送風機が、この電動送風機の中心軸線が水平となるように配置されかつ掃除機本体内に防振的に支持された電気掃除機において、
前記ファンカバーに被嵌された防振ゴムと連続するように一体に設けられ、前記排気孔から排出された空気を導く風路を前記電動送風機の外面との間に形成する吸音材製のガイドを備え、このガイドが、前記排気孔に対向して前記ファンカバーを上方から覆う第１ガイド部と、この第１ガイド部から前記電動機ケースの外周面に向けて曲がって前記第１ガイド部により導かれた空気を前記外周面に吹き当てるようにガイドするとともに前記外周面との間に前記風路の出口を形成した第２ガイド部と、前記第１ガイド部の内面に前記ファンカバーに向かって突設された複数の仕切り部とを有することを特徴とする電気掃除機。
【請求項２】
前記仕切り部が前記ファンカバーの周方向に隣接した前記排気孔間の周壁部位に接触していることを特徴とする請求項１に記載の電気掃除機。
【請求項３】
前記防振ゴムの下流側端面と前記排気孔から排出された空気を受ける前記仕切り部の一側面とが、円弧面で連続されていることを特徴とする請求項２に記載の電気掃除機。
【発明の詳細な説明】
【技術分野】
【０００１】
本発明の実施形態は、吸込み性能が高い電気掃除機に関する。
【背景技術】
【０００２】
電動送風機が有するファンカバーの周壁にその周方向に沿って間隔的に排気部を設けて、電動送風機に吸込まれた空気の一部を、各排気孔から電動送風機外に排出して、吸込み性能を向上させた電気掃除機が、従来技術として知られている。
【０００３】
この電気掃除機の電動送風機は、ステータ及びロータを固定するブラケット（電動機ケース）の外周の一部を覆うカバー体内に、制御基板若しくは発熱素子の制御部を収容し、ロータに連結されてブラケットの外部に配設されるインペラ（ファン）を覆うケーシング（ファンカバー）をブラケットに連結し、ケーシングの外周にインペラにより吸引された気流の一部を排出する排気部（排気孔）を設けるとともに、排気部から排出された気流の流れを方向付けるガイドをケーシングの外周に設けている。
【０００４】
この構成により、インペラにより吸引された気流の一部を、流路抵抗が大きいモータ部を通過する前に排気部から放出すると共に、この排気風の流れをガイドで方向付けることで、電動送風機の吸込み性能の向上を実現している。
【０００５】
更に、ガイドは排気部から排出された排気風の流れを方向付けしている。即ち、ケーシングの外径は電動送風機のブラケットの外径より大きいとともに、ガイドの外径はケーシングの外径より大きく、更にガイドの外周部はケーシングの外周面と略平行に形成されている。それにより、排気部を通って排出された排気風が、ブラケットの外周面から隔たった位置で、電動送風機の前部を占めたケーシングから遠ざかるように電動送風機の後方に向けて電動送風機の中心軸線と略平行に排出される。そして、こうして流れが方向付けられた排気風の一部をカバー体の内部を流通させて、カバー本体内の制御基板若しくは発熱素子を冷却するようにしている。
【先行技術文献】
【特許文献】
【０００６】
【特許文献１】特許第４２８８９８０号公報
【発明の概要】
【発明が解決しようとする課題】
【０００７】
電動送風機に吸込まれた気流の一部を、インペラを覆ったケーシングの排気部から排出すると、それに見合ってモータ部を流通する空気量が減る。これにより、電動送風機のモータ部を空冷する性能が低下するので、この点を補う工夫が要請されている。
【０００８】
更に、電動送風機が発する騒音の一つは、インペラの風切り音であり、この音は耳障りである。しかし、既述のように吸込み性能を向上させるためにケーシングに排気部を設けた構成では、排気部を通ってインペラの風切り音が外部に出易い。特に、インペラを音源として掃除機本体の上方に抜ける風切り音は、その他の方向に抜ける音と比較して掃除作業者に感知され易いので、こうした騒音をできるだけ低くすることが要請されている。
【０００９】
実施形態は、高い吸込み性能を維持しつつ、電動送風機の電動機部に対する冷却効果を向上することが可能であるとともに電動送風機のファンを音源として掃除機本体の上方へ抜ける音を低減することが可能な電気掃除機を提供することにある。
【課題を解決するための手段】
【００１０】
前記課題を解決するために、実施形態の電気掃除機は、送風部と電動機部を備える電動送風機を、その中心軸線が水平となるように配置し、かつ、掃除機本体内に防振的に支持する。送風部はファンとこれを覆ったファンカバーを備える。ファンカバーはファンで吸引された空気の一部を排出する排気孔を複数有する。ファンを回転させる電動機部の電動機ケースはファンで吸引された空気を排出する排気口を有する。吸音材製のガイドを、ファンカバーに被嵌された防振ゴムに連続するように一体に設ける。ガイドは、排気孔に対向しファンカバーを上方から覆う第１ガイド部と、第１ガイド部から電動機ケースの外周面に向けて曲がった第２ガイド部と、第１ガイド部の内面にファンカバーに向かって突設された複数の仕切り部とを有する。第２ガイド部は、第１ガイド部により導かれた空気を前記外周面に吹き当てるようにガイドする。排気孔から排出された空気を導く風路をガイドと電動送風機の外面との間に形成し、風路の出口を電動機ケースの外周面と第２ガイド部との間に形成したことを特徴としている。
【図面の簡単な説明】
【００１１】
【図１】第１実施形態に係る電気掃除機を示す斜視図である。
【図２】図１の電気掃除機が備える電動送風機まわりを示す断面図である。
【図３】図２中Ｆ３部を拡大して示す図である。
【図４】図１の電気掃除機が備える電動送風機のファンカバーの一部とこのカバーに被嵌された防振ゴムの一部との関係を一部切欠いた状態で示す平面図である。
【図５】図４中Ｆ５−Ｆ５線に沿って示す断面図である。
【図６】図１の電気掃除機が備える電動送風機を示す斜視図である。
【図７】第２実施形態に係る電気掃除機が備える電動送風機をこれにガイドが取付けられた状態で示す斜視図である。
【発明を実施するための形態】
【００１２】
以下、第１実施形態の電気掃除機について、図１〜図６を参照して詳細に説明する。
【００１３】
図１は例えばキャニスタ型の電気掃除機全体を示す斜視図である。電気掃除機１は、掃除機本体２と、電動送風機８と、吸気側の防振ゴム２１と、排気側の防振ゴム２３と、ガイド２５と、集塵部例えば集塵フィルタ３３と、吸塵ホース３５と、延長管３８と、床用吸込み口体３９等を備えている。
【００１４】
掃除機本体２に屋内の床面（被掃除床面）上を自在に移動可能とする車輪が取付けられている。掃除機本体２はその前部上面をなすとともに開閉可能な集塵室蓋３を有している。掃除機本体２内に、集塵室蓋３の真下に対向する集塵室（図示しない）が形成されているとともに、この集塵室の後側、言い換えれば、掃除機本体２に吸込まれてこの本体を通過する気流を基準に集塵室の下流側に、送風機室Ｓ（図２参照）が設けられている。
【００１５】
掃除機本体２は、図１及び図２に示すように本体下ケース２ａと、本体中ケース２ｂと、本体上ケース２ｃを有している。本体中ケース２ｂは、送風機室Ｓを仕切って本体下ケース２ａの後部に上側から連結されている。送風機室Ｓは掃除機本体２の後部に形成された図示しない排気部を通して掃除機本体２の外部に連通されている。
【００１６】
図２に示すように送風機室Ｓの前端部に送風部支持部４が設けられている。送風部支持部４は、本体下ケース２ａと本体中ケース２ｂの夫々に形成されている。同様に送風機室Ｓの後端部に電動機部支持部５が設けられている。電動機部支持部５は、本体下ケース２ａと本体中ケース２ｂの夫々に形成されている。送風部支持部４及び電動機部支持部５はリブ等により形成されている。更に、本体下ケース２ａと本体中ケース２ｂの夫々に、送風機室Ｓに突出するガイド支持部６が設けられている。
【００１７】
本体上ケース２ｃは本体下ケース２ａに上側から連結されている。この本体上ケース２ｃと本体上ケース２ｃの前部とで、集塵室蓋３により開閉される集塵室の上面開口が区画されている。本体上ケース２ｃの後部は本体中ケース２ｂを上方から覆っている。
【００１８】
掃除機本体２内の送風機室Ｓに電動送風機８が収容されている。この電動送風機８は、電動機部１１とこの電動機部１１に連結された送風部１５とを備えている。
【００１９】
図２に示すように電動機部１１は、電動機ケース１２内に、図示しないステータ巻線が取付けられたステータ１１ａと、このステータ１１ａの内側に回転自在に配設されたロータ１１ｂと、二個のブラシ装置１３を取付けて形成されている。電動機ケース１２は、金属製であり、図３に示すように第１ケース部材１２ｃと第２ケース部材１２ｄとを連結して形成されている。
【００２０】
第１ケース部材１２ｃは、円筒部の一端に端板部を有し、円筒部の開放された他端に環状の張り出し縁部１２ｅ（図３参照）を有して形成されている。更に、電動機ケース１２の第１ケース部材１２ｃは、その円筒部の前記端板部側に複数の排気口１２ａを有しているとともに、前記端板部の中央から外側に突出されたに軸受ハウジング部１２ｂを有している。
【００２１】
第２ケース部材１２ｄは、その両端部を第１ケース部材１２ｃの張り出し縁部１２ｅに固定して、円筒部の開口された他端を横切って設けられている。第２ケース部材１２ｄはその中央部に軸受ハウジング部（図示しない）を有している。
【００２２】
ステータ１１ａは、環状であり、第１ケース部材１２ｃの円筒部の内周面に接して電動機ケース１２に伝熱可能に固定されている。このため、ステータ１１ａのステータ巻線が発する熱は電動機ケース１２の外面から外部に放出可能である。前記両軸受ハウジング部の夫々に玉軸受が収容されていて、これら玉軸受によってロータ１１ｂが有するロータ軸１１ｃ（図２参照）が回転自在に支持されている。ロータ軸１１ｃの一端部に整流子１１ｄ（図２参照）が取付けられている。ロータ軸１１ｃの他端部は第２ケース部材１２ｃの軸受ハウジング部を貫通して電動機ケース１２の外部に突出されている。又、第１ケース部材１２ｃの円筒部にブラシ装置１３が二個取付けられている。これらブラシ装置１３は整流子１１ｄの外周面に接するブラシを有している。
【００２３】
図２及び図３に示すように送風部１５は、ファン１６と、図示しないディフューザと、ファンカバー１７を有している。
【００２４】
ファン１６には例えば遠心式のものが使用されており、このファン１６は電動機ケース１２外に突出されたロータ軸１１ｃの端部に連結されている。ディフューザは、ファン１６から吐き出された空気を静圧化しつつ電動機ケース１２内に導くために用いられていて、第１ケース部材１２ｃの開放された他端とファン１６との間に配設され、第１ケース部材１２ｃの張り出し縁部１２ｅに連結されている。
【００２５】
ファンカバー１７は、金属製で、ファン１６及びディフューザを覆って配設されている。ファンカバー１７は、一端が開放された円形の周壁と、この周壁の他端に連続する端壁とを有していて、端壁の中央部に吸気口１７ａ（図６参照）を有している。ファンカバー１７は、その周壁の開放された一端部を前記張り出し縁部１２ｅの外周に嵌合して電動機ケース１２に連結されている。このファンカバー１７の内部と電動機ケース１２の内部とは連通されている。
【００２６】
ファンカバー１７は複数の排気孔１８を有している。各排気孔１８は、吸気口１７ａを通ってファン１６に吸引されこのファン１６から吐き出されて電動機ケース１２の内部へ流入しようとする空気の一部を、電動送風機８の外部に排出するために設けられている。これら排気孔１８は、図６に示すようにファンカバー１７の周方向に延びる長孔で形成され、ファンカバー１７の周壁にその周方向に沿って間隔的例えば等間隔に設けられている。
【００２７】
防振ゴム２１，２３は、弾性変形が可能でかつ吸音性能を有した吸音材例えばネオプレンゴム製である。防振ゴム２１は、ファンカバー１７より大径のリング形で、ファンカバー１７に被嵌されていて、ファンカバー１７の端壁の周部と、ファンカバー１７の周壁の前記端壁側の部位を覆っている。図２及び図３に示すように防振ゴム２１が有する嵌合部２１ａは、ファンカバー１７の周壁外周面に嵌合されていて、その嵌合深さＤ、言い換えれば、ファンカバー１７への掛かり代は、排気孔１８を塞がない深さに設定されている。防振ゴム２３は、電動機ケース１２の軸受ハウジング部１２ｂに被嵌されている。
【００２８】
ガイド２５は、弾性変形が可能でかつ吸音性能を有した吸音材例えばネオプレンゴム製であり、防振ゴム２１に連続するように設けられ、好ましい例として防振ゴム２１と一体に成形されている。このガイド２５の外径は嵌合部２１ａの外径と同じである。ガイド２５は、図３〜図５に示すように第１ガイド部２５ａと第２ガイド部２５ｂと仕切り部２６とを有している。
【００２９】
第１ガイド部２５ａは、防振ゴム２１の嵌合部２１ａに一体に連続していて、少なくともファンカバー１７を上方から覆っている。具体的には、第１実施形態では第１ガイド部２５ａが円筒状に形成されているので、第１ガイド部２５ａはファンカバー１７の全周を覆っている。この第１ガイド部２５ａは、ファンカバー１７の周壁外面から離れてこの外面に臨んでいるとともに、電動機ケース１２の張り出し縁部１２ｅ側の部位の外面に対しても離れてこの外面に臨んでいる。そのため、第１ガイド部２５ａは排気孔１８に対向しているとともに、ファンカバー１７及び電動機ケース１２の各外面との間に第１風路部位を形成している。
【００３０】
第２ガイド部２５ｂは、第１ガイド部２５ａから電動機ケース１２が有した第１ケース部材１２ｃの円筒部外周面に向けて曲がって設けられている。第２ガイド部２５ｂは、第１ケース部材１２ｃの張り出し縁部１２ｅの外面にから離間してこの外面に臨んでいる。そのため、第２ガイド部２５ｂは、電動機ケース１２の外面との間に第２風路部位を形成している。
【００３１】
前記第１風路部位と第２風路部位とは連通して風路Ｐをなしている。したがって、ガイド２５は、排気孔１８から排出された空気を導く風路Ｐを、電動送風機８の外面との間に形成して設けられている。第２風路部位の風路断面積は第１風路部位の風路断面積より大きい。
【００３２】
第２ガイド部２５ｂは、第１ケース部材１２ｃの円筒部外周面から離れていて、この外周面との間に風路Ｐの出口ＰＤを形成している。
【００３３】
図４〜図６に示すようにガイド２５は複数の仕切り部２６を有している。第１実施形態で排気孔１８と同数の仕切り部２６が第１ガイド部２５ａの内面に突設されている。これら仕切り部２６はリブ状をなしている。詳しくは、各仕切り部２６の一端は防振ゴム２１の嵌合部２１ａの下流側端面２１ｂに一体に連続され、各仕切り部２６の他端は第２ガイド部２５ｂの周部内面に一体に連続されている。したがって、各仕切り部２６は、ファンカバー１７の周壁の後端よりも方向に突出する長さを有して、電動送風機８の中心軸線と平行に延びるリブ状に形成されていて、第１ガイド部２５を内側から支持している。
【００３４】
各仕切り部２６は、ファンカバー１７の周方向に隣接した排気孔１８間の周壁部位１７ｂ（図５参照）に接して、隣接した排気孔１８間を仕切って配設されている。図４に示すように嵌合部２１ａの下流側端面２１ｂと各仕切り部２６の一側面２６ａとは、相互間に角を形成することなく円弧面２７で連続されている。ここに、一側面２６ａとは排気孔１８から排出された空気（気流）を受ける側面を指している。
【００３５】
電動送風機８は防振ゴム２１，２３を介して掃除機本体２内に防振的に支持されている。すなわち、図２に示すように掃除機本体２の送風部支持部４とファンカバー１７との間に、ファンカバー１７に被嵌されるとともにガイド２５を備えた防振ゴム２１を挟んで、電動送風機８の送風部１５が掃除機本体２に防振的に支持されているとともに、掃除機本体２の電動機部支持部５と軸受ハウジング部１２ｂとの間に、電動機ケース１２の軸受ハウジング部１２ｂに被嵌された防振ゴム２３を挟んで、電動送風機８の電動機部１１が掃除機本体２に防振的に支持されている。
【００３６】
更に、上流側（前側）の防振ゴム２１は送風機室Ｓの前端部を気密にシールしているとともに、下流側（後側）の防振ゴム２３は送風機室Ｓの後端部を気密にシールしている。掃除機本体２に支持された電動送風機８はその中心軸線が水平となるように配設されていて、この電動送風機８の吸気口１７ａは、前方、つまり、掃除機本体２の集塵室に向けて開口されている。
【００３７】
このような支持状態で、防振ゴム２１と一体のガイド２５が有した第２ガイド部２５ｂは、ガイド支持部６に接して支持されている。このため、風路Ｐを通る空気の圧力、及び電動送風機８の運転モードの切換えに伴う風路Ｐを通る空気の圧力変動により、第２ガイド部２５ｂが変形することが防止されて、風路Ｐの第２風路部位の風路断面積を一定に保持して、排気孔１８から流出した空気を風路Ｐに対し円滑に流通させることが可能である。
【００３８】
又、掃除機本体２の後部でかつ送風機室Ｓの外側には、後述する電動送風機８の運転を制御する図示しない制御回路と図示しないコードリール装置が内蔵されている。コードリール装置は、電源コードを巻き取っており、この電源コードを掃除機本体２の外部に引出して図示しないコンセントに接続することで、電気掃除機１への給電が可能である。なお、こうした外部電源に代えて、電気掃除機１の電源として、内部電源、つまり、掃除機本体２に内蔵された二次電池を用いることも可能である。
【００３９】
図１に示すように掃除機本体２は吸塵口３１を有している。この吸塵口３１は例えば掃除機本体２の前面部に設けられている。掃除機本体２に集塵フィルタ３３が着脱可能に取付けられている。集塵フィルタ３３は掃除機本体２の集塵室に収容された集塵袋からなる。集塵フィルタ３３が集塵室に収容された状態で、この集塵フィルタ３３の内側空間は吸塵口３１に連通されている。この集塵フィルタ３３は集塵室蓋３が開かれた状態で集塵室に出し入れ可能である。
【００４０】
図１に示すように吸塵ホース３５は、可撓性を有したホース本体３５ａと、このホース本体３５ａの一端部に取付けられかつホース本体３５ａに連通された接続管部３５ｂと、ホース本体３５ａの他端部に取付けられかつホース本体３５ａに連通された手元操作部３５ｃを有している。吸塵ホース３５は、その接続管部３５ｂを吸塵口３１に着脱可能に挿入して掃除機本体２に接続され、かつ、吸塵口３１に連通されている。
【００４１】
手元操作部３５ｃは、床用吸込み口体９を移動操作するために掃除作業者により把持されるハンドル３５ｄを有している。このハンドル３５ｄに、図示しない制御装置に運転指令を与える入力手段３６が設けられている。入力手段３６はタッチ式の入力ボタンを複数有した操作パネルで形成されている。入力ボタンにより指定された運転モードで電動送風機８が運転されるようになっている。
【００４２】
延長管３８はその長さを調節可能に形成されている。この延長管３８の一端部は、手元操作部３５ｃの先端部に着脱可能に嵌合して接続されている。接続された延長管３８と吸塵ホース３５とは連通されている。
【００４３】
吸塵ホース３５及び延長管３８は、掃除機本体２の集塵室と床用吸込み口体３９とを連通する吸塵管を形成している。この吸塵管の先端部例えば延長管３８の先端部に、床用吸込み口体３９が着脱可能に嵌合して接続されている。
【００４４】
床用吸込み口体３９は被掃除床面の清掃に好適なものであって、その下面に図示しない吸込み開口を有している。この床用吸込み口体３９内に、図示しない回転清掃体とこの清掃体を回転させる電動機等が取付けられている。
【００４５】
電気掃除機１の電動送風機８は、入力手段３６での入力操作により指定された運転モードで駆動されて、電動送風機８に対して上流側の集塵室等の空気を吸込む。この吸引力で、被掃除床面の塵と空気が、床用吸込み口体３９に吸込まれ、更に、延長管３８及び吸塵ホース３５を経由して掃除機本体２の集塵室に導かれる。このため、集塵室内の集塵フィルタ３３で含塵気流中の塵が、ろ過されてこの集塵フィルタ３３内に集積される。一方、塵から分離されて集塵フィルタ３３を通過した空気は、集塵室を通って電動送風機８に吸込まれ、後で説明するように電動送風機８を経由した後、送風機室Ｓから掃除機本体２の排気部（図示しない）を通って掃除機本体２外に排出される。したがって、被掃除床面を掃除することができる。
【００４６】
次に、電動送風機８を通る気流について説明する。
【００４７】
ファン１６の回転によりファンカバー１７の吸気口１７ａを通って吸込まれた空気は、ファン１６の外周から吐き出される。こうして吐き出された空気はファンカバー１７の内周に沿って旋回し、そのうちの一部の空気はファンカバー１７の各排気孔１８から電動送風機８の外部に流出する。この一方で、残りの空気は、ディフューザで静圧化されつつ電動機ケース１２内に導かれて、この電動機ケース１２内のステータ１１ａ及びロータ１１ｂを冷却しながら電動機ケース１２を流通し、この電動機ケース１２の排気口１２ａを通って電動送風機８が収容された送風機室Ｓ内に流出する。
【００４８】
以上のようにファン１６から吐き出されて電動機部１１に流入する前の空気の一部が、ファンカバー１７の排気孔１８を通って外部に流出される。この空気は流路抵抗が大きい電動機部１１内を通らない。これにより、電動送風機８での圧損が減少され、それに伴い電動送風機８の効率が上がり、電気掃除機１の吸込み性能を向上できる。
【００４９】
排気孔１８を通った空気は、その流れ方向をガイド２５により形成された風路Ｐにより方向付けられて、この風路Ｐの出口ＰＤを通って送風機室Ｓに流出する。この場合、風路Ｐによりこれを流通する空気は、電動機ケース１２の張り出し縁部１２ｅの外面に沿って流動するように方向付けされて、電動機ケース１２の円筒部外面に吹き当てられる。電動機部１１を通る前の空気は電動機部１１を流通した空気より低温である。これにより、電動機部１１を通る前の低温の空気で電動機ケース１２の張り出し縁部１２ｅ及び円筒部を冷却できる。
【００５０】
したがって、排気孔１８から排出される空気量に見合って電動機部１１内を流通する空気量が減ることで、電動機部１１を内側から空冷する性能が低下するにも拘らず、前記外部からの空冷によって電動機部１１内のステータ１１ａ等の温度上昇を抑制することが可能である。
【００５１】
この場合、既述のようにガイド２５は、その第１ガイド部２５ａの内面に突設された複数の仕切り部２６を有し、これら仕切り部２６はファンカバー１７の周方向に隣接した排気孔１８間の周壁部位１７ｂに接触している。このため、仕切り部２６の一側面２６ａが、ファン１６の回転に従い排気孔１８を通って風路Ｐの第１風路部位に流出した空気を受けて、この空気がファンカバー１７の周方向に沿って旋回を継続することを妨げる。これと共に、各仕切り部２６はそれが受止めた空気を風路Ｐの第２風路部位に導く。これにより、排気孔１８を通った空気が、整流されて風路Ｐに円滑に流されるので、電動機部１１を外側から空冷する効果を高めることが可能である。
【００５２】
しかも、上流側の防振ゴム２１が有した嵌合部２１ａの仕切り部２６間にわたる下流側端面２１ｂと、排気孔１８から排出された空気を受ける仕切り部２６の一側面２６ａとは、円弧面２７で連続されている。これにより、仕切り部２６はそれが受止めた空気が、下流側端面２１ｂと一側面２６ａとで挟まれる部分で渦を巻き難く、それに伴い、排気孔１８から排出された空気をより円滑に風路Ｐの第２風路部位に導くことが可能であるので、この点で電動機部１１を外側から空冷する効果を更に高めることが可能である。
【００５３】
ガイド２５は、吸音材製であり、ファンカバー１７を上方から覆う第１ガイド部２５ａを有している。このため、ファンカバー１７の上部の排気孔１８を抜けたファン１６の風切り音が、第１ガイド部２５ａで吸収されるに伴い、この風切り音が掃除機本体２の上方へ伝播することを抑制可能である。これにより、掃除作業者にとって耳障りな風切り音が低減される。しかも、ガイド２５はファンカバー１７の全周を覆っているので、ファン１６による風切り音の掃除機本体２の外部への伝播を抑制することが可能である。
【００５４】
更に、既述のように排気孔１８を通った空気は整流されて風路Ｐに流れ、渦を発生し難いので、渦の発生の伴う音の発生を抑制することも可能である。そして、渦を原因として音が生じた場合であっても、この音が掃除機本体２の上方へ伝播することを、吸音材製のガイド２５によって抑制可能である。
【００５５】
したがって、これらの理由により、第１実施形態の電気掃除機１を用いた掃除では、低騒音で掃除をすることが可能である。
【００５６】
以上説明したように第１実施形態の電気掃除機によれば、高い吸込み性能を維持しつつ、電動送風機８の電動機部に対する冷却効果を向上することが可能であるとともに電動送風機８のファン１６を音源として掃除機本体２の上方へ抜ける音を低減することが可能である。
【００５７】
ファンカバー１７の各排気孔１８をファンカバー１７の嵌合部２１ａが塞がないようにするために、送風部１５を防振的に掃除機本体２に支持する防振ゴム２３のファンカバー１７への嵌合深さＤは浅い。これにより、ガイド２５が嵌合部２１ａと一体でない構成では、防振ゴム２３の嵌合状態が不安定となって、防振ゴム２３の防振性能が低下することが考えられる。
【００５８】
これに対して、既述のように防振ゴム２３の嵌合部２１ａにガイド２５が一体に連続されているだけではなく、このガイド２５が有した複数の仕切り部２６は、ファンカバー１７の周壁外面、より詳しくは、隣接した排気孔１８間の周壁部位１７ｂに接している。このため、ガイド２５を一体に有した防振ゴム２３のファンカバー１７に対する嵌合深さが各仕切り部２６によって増えて、防振ゴム２３の嵌合状態が安定させることができるので、防振ゴム２３の防振性能を向上させることが可能である。
【００５９】
又、既述のようにガイド２５は防振ゴム２１と一体に形成されているので、部品点数及び組立ての工数が増えることがなく、ガイド２５が防振ゴム２１と別体である場合と比較して、コストを低減することが可能である。
【００６０】
図７は第２実施形態を示している。第２実施形態は以下説明する構成が第１実施形態とは相違しており、それ以外の構成は第１実施形態と同じである。このため、第１実施形態と同一ないしは同様の機能を奏する第２実施形態の構成については、第１実施形態と同じ符号を付してその説明を省略する。
【００６１】
この第２実施形態の電気掃除機では、防振ゴム２１及びこれと一体のガイド２５がファンカバー１７の全周を覆った構成ではなく、ガイド２５は、横置きに配置された電動送風機８、言い換えれば、中心軸線が水平となるように配置された電動送風機８のファンカバー１７に対して、このファンカバー１７の上部のみを上方から覆って設けられている。ここで、ガイド２５がファンカバー１７を上方から覆う領域、言い換えれば、ファンカバー１７に上方から被さる領域は、ファンカバー１７の周方向に沿って第２実施形態よりも狭くても、或いは広くても差し支えない。これとともに、ガイド２５は、ファンカバー１７の上半分を上方から覆う大きさであることが好ましい。又、ファンカバー１７の周方向に沿うガイド２５の両端は、ファンカバー１７の外面に接する第１端壁部とこれに連続した第２端壁部からなる端壁２５ｃによって閉じられている。端壁２５ｃの第１端壁部は仕切り部を兼ねている。
【００６２】
第２実施形態の電気掃除機は、以上説明した事項以外の構成は図示されない構成を含めて第１実施形態と同じである。したがって、この第２実施形態においても、前記課題が解決されて、高い吸込み性能を維持しつつ、電動送風機の電動機部に対する冷却効果を向上することが可能であるとともに電動送風機のファンを音源として掃除機本体の上方へ抜ける音を低減することが可能である。更に、第２実施形態では、ガイド２５がファンカバー１７の上部のみを上方から覆っているので、ガイド２５が一体に形成された防振ゴム２１を、ファンカバー１７に容易に被嵌させることができる利点がある。
【００６３】
前記各実施形態では、ガイド２５を防振ゴム２１と一体に成形することで、ガイド２５が防振ゴム２１と連続するように配設したが、これに代えて、ガイド２５と防振ゴム２１とを別体とし、ガイド２５が防振ゴム２１の下流側端面２１ｂに接触若しくは非接触となる状態で、防振ゴム２１にガイド２５を連続するように配置することも可能である。
【符号の説明】
【００６４】
１…電気掃除機、２…掃除機本体、８…電動送風機、１１…電動機部、１２…電動機ケース、１２ａ…電動機ケースの排気口、１５…送風部、１６…ファン、１７…ファンカバー、１７ｂ…ファンカバーの周壁部位、１８…ファンカバーの排気孔、２１…防振ゴム、２１ｂ…防振ゴムの下流側端面、２３…防振ゴム、２５…ガイド、２５ａ…第１ガイド部、２５ｂ…第２ガイド部、Ｐ…風路、ＰＤ…風路の出口、２６…仕切り部、２６ａ…仕切り部の一側面、２７…円弧面
【図１】
0005931455.tif 000002
【図２】
0005931455.tif 000003
【図３】
0005931455.tif 000004
【図４】
0005931455.tif 000005
【図５】
0005931455.tif 000006
【図６】
0005931455.tif 000007
【図７】
0005931455.tif 000008